(57)【要約】【課題】  塩素系の洗浄剤の使用を回避して健康面、安全面の配慮をはかることを第一に、ブランケットの回復(膨潤)をおこないつつ紙粉、ガムなどの汚れを除去することのできる紫外線硬化型インキ用ブランケットの洗浄・回復剤を提供する。【解決手段】  下記の成分(ａ)〜(ｃ)からなる紫外線硬化型インキ用ブランケットの洗浄・回復剤。(ａ)  シクロヘキサン、アルキルシクロヘキサン及びリモネンから選ばれた少なくとも１種の溶剤２７〜９３重量％、(ｂ)  界面活性剤０.１〜１０重量％及び(ｃ)  水６〜７２重量％【選択図】    なし【特許請求の範囲】
【請求項１】
下記の成分(ａ)〜(ｃ)からなる紫外線硬化型インキ用ブランケットの洗浄・回復剤。
(ａ)  シクロヘキサン、アルキルシクロヘキサン及びリモネンから選ばれた少なくとも１種の溶剤２７〜９３重量％、
(ｂ)  界面活性剤０.１〜１０重量％及び
(ｃ)  水６〜７２重量％
【請求項２】
下記の成分(ａ)〜(ｃ)からなる請求項１の紫外線硬化型インキ用ブランケットの洗浄・回復剤。
(ａ)  シクロヘキサン、エチルシクロヘキサン、メチルシクロヘキサン及びリモネンから選ばれた少なくとも１種の溶剤２８〜７２重量％、
(ｂ)  ノニオン界面活性剤０.５〜３重量％及び
(ｃ)  水２７〜７１重量％
【請求項３】
界面活性剤がソルビタン脂肪酸エステル、ポリグリセリン脂肪酸エステル又はポリオキシアルキレンアルキルエーテルである請求項１又は２の紫外線硬化型インキ用ブランケットの洗浄・回復剤。
【発明の詳細な説明】
【技術分野】
【０００１】
本発明は紫外線硬化型インキを用いた印刷機のブランケットの洗浄及びブランケットの膨潤、回復に資する洗浄・回復剤に関する。
【背景技術】
【０００２】
ＵＶインキを使用して様々な印刷用紙に印刷を行っているとブランケットゴムの表面に紙粉、ガムなどの汚れが付着してくる。一連の印刷作業をおこなった後、色替え及び版替えにあたり、インキローラーとブランケットゴムにこれら紙粉などが付着したままであると新たな印刷面に汚れが発生する。このような問題を防止するには、一連の印刷が終了した後の色替え、版替えにあたって紙粉などの汚れを完全に除去することが必要となる。このため、印刷後のブランケットは汚れに応じた洗浄液を用いて洗浄作業が行われる。
このような洗浄剤として、これまではジクロロメタン、１,２-ジクロロプロパンなどの塩素系溶剤がしばしば用いられており、これら洗浄剤には印刷作業後のブランケットの回復(膨潤)の効果も認められた。
近年、印刷作業が行われている特定事業場の従業者が多数胆管がんを発症していたことが判明し、印刷工程において洗浄剤として用いられていたこれら溶剤との因果関係が強く疑われ、その使用が規制されるにいたった。
【先行技術文献】
【特許文献】
【０００３】
【特許文献１】特開２００２−５３７７６号
【特許文献２】特開２０１４−２０５７５８号
【発明の概要】
【発明が解決しようとする課題】
【０００４】
本発明の目的は、このような塩素系の洗浄剤の使用を回避して健康面、安全面の配慮をはかることを第一に、紫外線硬化型インキ用ブランケットの回復(膨潤)をおこないつつ紙粉、ガムなどの汚れを除去することのできる洗浄・回復剤を提供することにある。
【課題を解決するための手段】
【０００５】
本発明は下記の成分(ａ)〜(ｃ)からなる紫外線硬化型インキ用ブランケットの洗浄・回復剤である。
(ａ)  シクロヘキサン、アルキルシクロヘキサン及びリモネンから選ばれた少なくとも１種の溶剤２７〜９３重量％、
(ｂ)  界面活性剤０.１〜１０重量％及び
(ｃ)  水６〜７２重量％
本発明の洗浄・回復剤は、好ましくは下記の成分(ａ)〜(ｃ)からなる。
(ａ)  シクロヘキサン、エチルシクロヘキサン、メチルシクロヘキサン及びリモネンから選ばれた少なくとも１種の溶剤２８〜７２重量％、
(ｂ)  ノニオン界面活性剤０.５〜３重量％及び
(ｃ)  水２７〜７１重量％
【発明の効果】
【０００６】
本発明の洗浄・回復剤は、重大な健康被害の懸念される前記塩素系の洗浄剤の使用を回避し、人体への安全性を前提に紫外線硬化型インキを用いる印刷機のブランケットの回復と共に紙粉、ガムなどの親水性の汚れの除去を行う。
【発明を実施するための形態】
【０００７】
つぎに、本発明の紫外線硬化型インキ用ブランケットの洗浄・回復剤の各配合成分について以下に詳細に説明する。
【０００８】
（成分ａ）シクロヘキサン、アルキルシクロヘキサン及びリモネン
本発明洗浄液の第１の成分ａは、シクロヘキサン、アルキルシクロヘキサン及びリモネンから選ばれた少なくとも１種の溶剤である。これら第１成分の溶剤によりＵＶ専用ブランケットの回復効果が得られる。
これらのうち、アルキルシクロヘキサンとしてはモノアルキルシクロヘキサン、ジアルキルシクロヘキサンなどがあげられるが、好ましくはモノ低級アルキルシクロヘキサン、ジ低級シクロヘキサンがあげられ、特にメチルシクロヘキサン、エチルシクロヘキサン、プロピルシクロヘキサンなどが好ましい。
かかる成分ａの配合量は前記洗浄液中２７〜９３重量％、好ましくは２８〜７２重量％である。成分ａの配合量がこの範囲より少ないとＵＶ印刷用ブランケットの回復効果が低下する。一方、成分ａの配合量がこの範囲より多いと本発明洗浄液の安定した調製が困難で洗浄剤が非水溶性となり、紙粉、ガムに対する洗浄性が低下して、これら汚れの除去が困難となる。
【０００９】
（成分ｂ）界面活性剤
本発明洗浄液の第２成分である成分ｂは界面活性剤である。成分ｂは本発明洗浄剤において油性の成分ａと水(成分ｃ)との安定乳化を維持する乳化剤である。油中水滴(W/O型)エマルジョンを形成していると思われる。
本発明にて用いられる界面活性剤としてはノニオン界面活性剤が好ましい。たとえば、
ソルビタン脂肪酸エステル、ポリグリセリン脂肪酸エステル、ポリオキシアルキレンアルキルエーテル、ポリオキシエチレン脂肪酸エステル、ポリオキシエチレンアルキルフェニルエーテル、ショ糖脂肪酸エステル、グリセリン脂肪酸エステルなどが挙げられる。
これらのうちでも特に好ましい界面活性剤としては、ソルビタン脂肪酸エステル、ポリグリセリン脂肪酸エステル、ポリオキシアルキレンアルキルエーテルが挙げられる。
本発明にて用いられる界面活性剤としてはＨＬＢ値が１.５〜１０であるのが好ましい。
上記の界面活性剤の配合量は０.１〜１０重量％、好ましくは０.５〜３重量％である。界面活性剤の使用量がこれより少ないと充分に安定なエマルジョン相が得られず、一方、これより多くてもさらなる効果はない。
【００１０】
（成分ｃ）  水
本発明洗浄液の第３成分である水(精製水)は、前記成分と共にエマルジョンを形成して印刷機のブランケットなどからインキを除去すると共に表面に付着している紙粉、ガムなどの親水性の汚れを除去する。
水の配合量は６〜７２重量％、好ましくは２７〜７１重量％である。
水の配合量がこの範囲より多いとＵＶブランケットの回復効果が低下し、一方、水の配合量がこの範囲より少ないと洗浄液の安定した調製が困難で洗浄剤が非水溶性となり紙粉、ガムに対する洗浄性が低下して、これら汚れの除去が困難となる。
【００１１】
本発明の洗浄・回復剤は、シクロヘキサン、アルキルシクロヘキサン及びリモネン(成分ａ)からなる親油性の溶剤だけでなく、水を適正に調整したエマルジョン系を提供し、ブランケットの洗浄と回復をはかると共に紙粉、ガムなどの親水性の汚れをも除去し、あわせて塩素系溶剤の使用を回避して人体への安全性を確保する。特許文献１ではシクロヘキサン系溶剤を配合したインキ除去剤が開示されているが、同除去剤は各成分の特徴から多様な高分子に対する洗浄性を有しており、特に、製版用レジスト及びグラビアインキ等の除去に効果があるとして、紙粉、ガムなどの親水性の汚れに対する配慮については記載がない(特に段落0006,0013)。
【００１２】
洗浄液の調製
本発明の洗浄・回復剤を調製するには、特別な操作、方法は必要とせず、前記の成分を混合して適宜の攪拌装置により攪拌することにより容易に均一な洗浄・回復剤が調製できる。
【００１３】
洗浄液の使用方法
本発明の洗浄・回復剤は、従来公知の洗浄剤と同様に使用することができる。印刷作業後にこの洗浄・回復剤を使用することによりブランケットの回復(膨潤)をおこないつつ紙粉、ガムなどの汚れを除去することのでき、従来の塩素系の洗浄剤による健康面、安全面の懸念を解消することができる。一般的な非水溶性の回復剤・洗浄溶剤では、印刷機の各部の洗浄作業をおこなうと、油性成分は除去できるものの、水溶性成分を除去することはできない。そこで、水を添加すると、溶剤と水とが分離し、やはり紙粉、ガムなどの水溶性の汚れは除去困難であり洗浄作業は容易でない。本発明の洗浄・回復剤は少ない洗浄作業にて、紙粉、ガムなどの水溶性の汚れもすべて洗い落とすことができ、ブランケットゴム表面状態を良好に洗浄する。
【実施例】
【００１４】
つぎに本発明を実施例及び比較例により更に具体的に説明する。
［実施例１〜１２及び比較例１〜６］
下記の表１に示す組成にて各成分を混合しブランケット洗浄用の洗浄液を調製した。
【００１５】
ブランケットの膨潤による厚み変化（ｍｍ）
×；厚み変化なし、  △；０.０５ｍｍ未満、  ○；０.０５以上０.１ｍｍ未満     
紙粉、ガムの洗浄性
トイレットペーパー１ｇを２％アラビアゴム水溶液１００ｇに溶きゴム板上に塗布、乾燥した後、試料を垂らしウエスで擦り紙粉の取れ具合で紙粉、ガムの洗浄性を評価した。
◎：全て紙粉除去、○；わずかに紙粉が残る、△：一部紙粉残る、×：殆ど紙粉残る
【００１６】
2017218489.tif 000002
【００１７】
なお、表中の界面活性剤はつぎのとおりである。
ソルビタン脂肪酸エステル    ：ソルゲン３０(第一工業製薬(株)製）
ポリグリセリン脂肪酸エステル：ＮＩＫＫＯＬ ＤＧＭＯ−ＣＶ(日光ケミカルズ(株)製）
ポリオキシアルキレンアルキルエーテル：ノイゲンＥＴ−６９(第一工業製薬(株)製）
【産業上の利用可能性】
【００１８】
本発明の洗浄・回復剤は、紫外線硬化型インキを用いる印刷機のブランケットの回復と共に紙粉、ガムなどの親水性の汚れの除去を行うことができ、かつ、従来使用され重大な健康被害が懸念されたジクロロメタン、１,２-ジクロロプロパンなどの塩素系の洗浄剤の使用を避けることができ印刷作業工程における健康上の安全性を確保できる。